(57)【要約】【課題】  本発明は、カラーリングを有する容器を処理するための充填機械、すすぎ洗い機、または閉鎖機のような容器処理機械のための移行案内装置であって、この移行案内装置が、その独楽状回転体に処理スペースがこれら容器のために設けられている循環する独楽状回転体、および、少なくとも１つの供給用星形部材を有する様式の上記移行案内装置に関する。本発明の課題および目的は、容器処理機械の引渡し星形部材から独楽状回転体への容器の引渡しのために、従来公知の移行案内装置の欠点を確実に回避する、移行案内装置を提供することである。【解決手段】  移行案内装置は、剛性の移行案内アーム（１０）から成っている。【選択図】      図２
2005104590.tif 000002
【特許請求の範囲】
【請求項１】
カラーリングを有する容器を処理するための充填機械、すすぎ洗い機、または閉鎖機のような容器処理機械のための移行案内装置であって、この移行案内装置が、
その独楽状回転体に処理スペースがこれら容器のために設けられている循環する独楽状回転体、および、
少なくとも１つの供給用星形部材を有する様式の上記移行案内装置において、
移行案内装置が、剛性の移行案内アーム（１０）から成ることを特徴とする移行案内装置。
【請求項２】
移行案内装置に、移行案内アーム（１０）の制御された旋回移動を可能とする、及び／または実施する手段が設けられていることを特徴とする請求項１の上位概念に従う移行案内装置。
【請求項３】
移行案内アーム（１０）は、注ぎ口延長部（１２）の異なる直径、または、カラーリング（１３）の異なる直径に対して、調節可能であるように構成されていることを特徴とする請求項１または２に記載の移行案内装置。
【請求項４】
移行案内装置に、移行案内アームの旋回移動の大きさ、及び／または状態の調節を可能とする手段が設けられていることを特徴とする請求項１から３のいずれか一つに記載の移行案内装置。
【請求項５】
移行案内アーム（１０）は、注ぎ口延長部（１２）の輪郭に対して適合されているように構成されていることを特徴とする請求項１から４のいずれか一つに記載の移行案内装置。
【請求項６】
移行案内アーム（１０）は、注ぎ口延長部（１２）、およびカラーリング（１３）から形成された輪郭に対して適合されているように構成されていることを特徴とする請求項１から５のいずれか一つに記載の移行案内装置。
【請求項７】
移行案内アーム（１０）は、カラーリング（１３）の輪郭に対して適合されているように構成されていることを特徴とする請求項１から６のいずれか一つに記載の移行案内装置。
【請求項８】
移行案内アーム（１０）は、少なくとも部分的に、摩擦を低減する手段を被覆されていることを特徴とする請求項１から７のいずれか一つに記載の移行案内装置。
【請求項９】
移行案内アーム（１０）は、少なくとも部分的に、磨耗を低下する手段を被覆されていることを特徴とする請求項１から８のいずれか一つに記載の移行案内装置。
【発明の詳細な説明】
【技術分野】
【０００１】
本発明は、請求項１の上位概念に記載された様式の移行案内装置に関する。
【背景技術】
【０００２】
この出願でもって提示された移行案内装置は、先ず第一に、例えばＰＥＴのような合成物質から成る、いわゆるカラーリング、即ちネックリングを備えている、例えば瓶のような容器を処理するための容器処理機械に関している。その他になお、しかもまた、提示された移行案内装置は、全ての更に別の適当な諸容器種類のためにも使用される。
【０００３】
容器処理機械は、例えば、充填機械、閉鎖機、すすぎ洗い機、等である。比較的に高い性能の場合、これら容器処理機械は、回転する構造様式で構成され、その際、これら容器を収容する処理スペースが、いわゆる独楽状回転体（Kreisels）の周囲に設けられており、且つ、循環する状態で、これら容器を処理の間じゅう連行する。
【０００４】
カラーリングを備える合成物質容器は、これら合成物質容器が空であるか、または、容器処理機械の内部に存在している場合、通常は、いわゆるネックハンドリング（Neckhandling）によって、取り扱われ、及び／または移送される。
【０００５】
容器処理機械への容器の供給は、通常は、この様式の容器の空気移送のための公知の装置によって行われる。この処理機械の内部で、この移送は、特別に、カラーリングを備える容器の取扱いのために形成されている、引渡し星形部材または移送用星形部材に基づいて行われる。
【０００６】
これら容器が整理された状態で、且つ固定された配分でもって移送される、引渡し星形部材または移送用星形部材への、
空気移送  −この空気移送内において、容器は無秩序に、且つ固定された配分無しに移送される−  による容器の引渡しは、
当接状態にある（auf Stoss stehenden）この空気移送によって移送される容器を、個別化し、配分状態に導き、且つ、引き続いて、１つの引渡し星形部材または移送用星形部材に供給する、公知の供給用スクリューコンベヤー、または配分用スクリューコンベヤーの使用のもとで行われる。
【０００７】
引渡し星形部材から、容器処理機械の独楽状回転体への容器の移送は、その次のステップである。
【０００８】
この課題の解決策のために必要な構造的な諸構成は、著しい度合いで、容器処理機械の独楽状回転体でもっての循環の間じゅうの、容器の固定の様式によって規定される。
【０００９】
容器が、例えば、この容器の注ぎ口領域、もしくはカラーリングをグリップするグリッパーによって固定される場合、通常は、同様に引渡し星形部材または供給用星形部材も、相応するグリッパーを有しており、その際、供給用星形部材から独楽状回転体へのこれら容器の引渡しは、両方の部分円の外見上の接触点において行われる。その際、この供給用星形部材による解放、および、独楽状回転体による固定は、時間的および空間的に、この引渡しが、確実に、迅速に、且つ欠陥無く行われるように互いに適合されている。
【００１０】
容器が、この容器の本体をグリップするグリッパーによって固定される場合、供給用星形部材は、通常、グリッパー要素ではなく、むしろいわゆる星状ポケット部を有しており、これら星状ポケット部が、これら容器を、外側案内部の寄与のもとで、先ず第一に、確実に案内し、且つ引き続いてグリッパーに引き渡す。
【００１１】
上記された装置において、先ず第一に、多数の必要な構造部材、およびこれら構造部材と関連する高い製造コスト、およびメンテナンスコストは、欠点である。
【００１２】
特に、ますます大きくなる市場占有率を得る、低温無菌性の充填の場合、この様式の装置のために、更に別の基本的な欠点が生じ、この欠点は、この様式の装置を、継続的に作動状態において無菌に保持するために、大きな経費をかけて作動されねばならないことの中にある。
【００１３】
特にこの問題を解決するために、本出願人によって、更に別の特許出願、例えば、書類整理番号ＤＥ１０３４０３６５．５（特許文献１）、および、書類整理番号ＤＥ１０３２６６１８．６（特許文献２）が提出されており、これら特許出願明細書は、
先ず第一に、低温無菌性の容器処理機械に、および、その場合に、特に、構造部材の数の低減、および必要なクリーン室の縮小に関連している。
【特許文献１】ドイツ連邦共和国特許出願明細書ＤＥ１０３４０３６５．５
【特許文献２】ドイツ連邦共和国特許出願明細書ＤＥ１０３２６６１８．６
【発明の開示】
【発明が解決しようとする課題】
【００１４】
従って、本発明の課題および目的は、容器処理機械の引渡し星形部材から独楽状回転体への容器の引渡しのために、特に、しかしながら専ら上記の出願に相応する容器処理機械のためだけでない、上記された欠点を確実に回避する、移行案内装置を提供することである。
【課題を解決するための手段】
【００１５】
この目的で、本発明により、この移行案内装置は、簡単な案内要素から成っている。本発明の更に別の固有の構成において、この案内要素は、移動可能に構成されている。
【発明の効果】
【００１６】
この様式の装置は、出願人の知識水準に従って、従来、公知ではなかった。
【００１７】
次に、図に示された実施例に基づいて、本発明を詳しく説明する。
【発明を実施するための最良の形態】
【００１８】
本発明の更なる構成、利点、および、使用の可能性は、以下の実施例の説明、および図から与えられる。その際、全ての説明された、及び/または具象的に図示された特徴は、自体で、または適宜の組み合わせにおいて、複数の請求項内においてこれら特徴をまとめること、またはこれら請求項を従属関係にすることに依存せずに、本発明の対象を形成する。同時に、これら請求項の内容は、この説明の構成要素を形成している。
【００１９】
図１は、先ず始めに、容器処理機械１の独楽状回転体２の円形セグメントを示しており、その際、例えば、これは、同様にすすぎ洗い機、またはしかしながら同様に閉鎖機であっても良い。図示された実施例において、これは、循環する構造様式の充填機械である。この充填機械のいわゆる独楽状回転体２と称される循環する部分は、機械回転軸線５を中心として、回転可能に構成されている。
【００２０】
いわゆる星状ポケット部９を備え付けられている、供給用星形部材３によって、
容器処理機械１の容器６は供給され、その際、外側案内部４が、この容器６の案内を、少なくとも所定の区間部分のために支援する。
【００２１】
容器処理機械１内において容器６を収容するために、独楽状回転体２に、収容ポケット部７が設けられており、これら収容ポケット部内へと、これら容器６は、移行案内装置８の寄与のもとで挿入される。
【００２２】
挿入は、先ず始めに、連続的に回転する供給用星形部材３の容器６が、移行案内装置８に対して押圧されることによって行われる。この移行案内装置８が、固定された状態で、且つ不動に形成されているので、この容器６は、独楽状回転体２、および供給用星形部材３の漸進的な回転でもって、星状ポケット部９から外へと押し出され、且つ、この独楽状回転体２の対応する収容ポケット部７内へと中に押し込まれる。
【００２３】
移行案内装置８は、基本的に、移行案内アーム１０から成っており、この移行案内アームが、図示されていない固定装置によって固定式に、即ち、独楽状回転体２と共に循環しない状態で、容器処理機械、もしくは、この容器処理機械の、または他の固定式の構成要素に固定されている。
【００２４】
移行案内アーム１０の形態のために、基本的に、３つの可能性が存在する。
先ず第一に、この移行案内アームは、この移行案内アームの幾何学的な寸法において、専ら容器のカラーリング１３とねじ山部との間に位置している注ぎ口延長部１２の形状だけに対して適合され、このことによって、この移行案内アーム１０を製造するための特に簡単な可能性が与えられる。この移行案内アームは、この場合に例えば、簡単な、且つ低廉な構造およびやり方で、薄板、合成物質、または他の適当な材料から製造される。例示的に、このような実施形態が、図４において図示されている。
【００２５】
同様に、移行案内アーム１０は、専らカラーリング１３の輪郭、もしくは直径だけに対して適合されている。
【００２６】
上記された実施形態のバリエーションの改善策として、付加的に、図３において図示されているように、移行案内アーム１０を、完全にカラーリング１３および注ぎ口延長部１２によって共に形成された輪郭に対して適合することの可能性が存在する。このやり方によって、供給用星形部材３と独楽状回転体２、即ち収容ポケット部７との間の、容器の改善された案内、および移行が達成される。
このバリエーションの場合、この移行案内アーム１０を、薄板材料からではなく、むしろ、適当な、金属または他の材料から成るソリッド材料から製造することは考慮に値する。
【００２７】
カラーリング１３及び／または注ぎ口延長部１２によって形成された輪郭、しかもまた既に、この注ぎ口延長部１２の輪郭もしくは直径が、容器タイプ毎によって異なることが可能なので、少なくとも移行案内アーム１０を容易に交換可能に構成することは、特に有利である。
【００２８】
同様に、移動する容器６と接触する移行案内アーム１０の面、及び／または縁部を、摩擦を低減する、及び／または磨耗低減するように被覆することは有利である。この目的で、例えば、硬質クロムめっき、または、炭化タングステンでもっての被覆は考慮に値する。
【００２９】
図２内において図示された、基本的に半円形の、星状ポケット部９および収容ポケット部７の構成と異なって、移動経過の改善、および、容器６の移行の簡略化のために、他の有利なポケット部の輪郭も、そのことによって本発明の領域を離れること無しに、設けられている。
【００３０】
独楽状回転体２内への、容器６の移行案内の後、固定式の、この独楽状回転体２を少なくとも部分的に囲繞する外側案内部１１が、これら容器６の案内を支援し、その際、この外側案内部１１は、同時に、クリーン室の下側の閉鎖部の一部を形成している。
【００３１】
異なる容器首部直径もしくは容器カラーリング直径に対しての、ここに記載された移行案内装置8の適合のために、この移行案内装置８、もしくは移行案内アーム１０は、調節可能に構成されている。
【００３２】
更に別の極めて有利な、本発明の実施形態において、移行案内装置８、もしくは移行案内アーム１０は、移行案内過程を、能動的な移動によって付加的に支援し、且つ従って最適化し、および付加的に促進し、このことによって、比較的に高い設備性能が可能となる。
【００３３】
この機能の実現化のために、少なくとも、移行案内アーム１０は旋回可能に構成されており、このことによって、この移行案内アームが、それぞれの容器を、能動的な移動によって、星状ポケット部９から、収容ポケット部７内へと移送する。
【００３４】
この旋回移動のための駆動装置として、全ての、工業技術において公知の且つこの使用状況のために適当な駆動方式が使用される。例示的に、しかしながら本発明の範囲を限定しない状態で、ここで、以下の駆動方式が挙げられる：即ち、
空気圧シリンダー、液圧シリンダー、電気的または液圧的、または空気圧的な駆動装置を有する回転及び／または旋回駆動装置、吸引的及び／または反発的な力の作用を有する（電気）磁石、供給用星形部材の上に設けられている制御カムまたはカーブ、制御カムまたはカーブと同様に結合状態にある引張りばね、及び／または圧縮ばねが挙げられる。
【００３５】
旋回移動のための駆動装置の構造的な実施形態の図示は必要とされない。何故ならば、このような駆動装置の実際的な実施形態は、本発明の対象ではないからである。
【００３６】
本発明の更に別の実施形態において、移行案内アーム１０の旋回移動の状態、及び／または大きさは、移行案内装置８を異なる容器寸法に対して適合可能とするために、調節可能に構成されている。この目的で必要な構造的な構成の図示は、同様に、必要とされない。
【図面の簡単な説明】
【００３７】
【図１】極めて簡略化された概略図における、その際、全ての図示された要素が公知技術に所属する、供給用星形部材、放出用星形部材、および移送用星形部材によって、互いにつなぎ合わされている、２つの容器処理機械の図である。
【図２】簡略化された平面図における、本発明による移行案内装置の、組み込まれた状態での図である。
【図３】カラーリング１３、および注ぎ口延長部１２の輪郭に対して適合された移行案内アーム１０でもっての、更に別の実施形態のバリエーションの図である。
【図４】更に別の簡略化された、移行案内アーム１０のバリエーションの図である。
【符号の説明】
【００３８】
１    容器処理機械
２    独楽状回転体
３    供給用星形部材
４    外側案内部
５    機械回転軸線
６    容器
７    収容ポケット部
８    移行案内装置
９    星状ポケット部
１０  移行案内アーム
１２  注ぎ口延長部
１３  カラーリング
【図１】
2005104590.tif 000003
【図２】
2005104590.tif 000004
【図３】
2005104590.tif 000005
【図４】
2005104590.tif 000006